Podtech/llm-jp-corpus-v4-ja_patent huggingface dataset:
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
１以上の供給タンク（３）と、
１以上の保持タンク（４；４ａ、４ｂ、４ｃ）と、
１以上の溶出バッファタンク（５）と、
１以上の溶出液タンク（６）と、
２以上の充填ベッドクロマトグラフィーカラム（７、８）と、
各カラム（７、８）について、前記各カラム（７、８）に接続された１以上のポンプ（１０）及び１以上の出口検出器（１１）とを備えた、生体高分子の分離のためのクロマトグラフィーシステム（１）であって、
前記供給タンク、１以上の保持タンク、溶出バッファタンク、及び溶出液タンクがそれぞれ、弁（１２）のシステムを介して前記少なくとも２本のカラムに接続され、前記１以上の保持タンクが、カラム（７、８）の１以上の入口端（１３）及びカラム（７、８）の１以上の出口端（１４）に接続される、クロマトグラフィーシステム（１）。
【請求項２】
前記弁（１２）のシステムに電気、空気圧、又は油圧により接続された１以上の制御ユニット（２）をさらに備えた、請求項１記載のクロマトグラフィーシステム。
【請求項３】
１以上の平衡バッファタンク（１５）と、１以上の洗浄バッファタンク（１６）及び／又は１以上の再生液タンク（１７）とをさらに備えた、請求項１又は２記載のクロマトグラフィーシステム。
【請求項４】
前記１以上の保持タンク（４；４ａ、４ｂ、４ｃ）が、１本のカラム（７、８）の出口端（１４）から流体を受けて、別のカラム（８、７）の前記入口端（１３）へ流体を搬送するように構成される、請求項１乃至請求項３のいずれか１項記載のクロマトグラフィーシステム。
【請求項５】
前記１以上のポンプ、検出器及び／又は前記弁が、再利用可能ユニット又はハウジングに取り付けられたディスポーザブル流路等のディスポーザブル流路を備える、請求項１乃至請求項４のいずれか１項記載のクロマトグラフィーシステム。
【請求項６】
生体高分子に対する親和性を有する樹脂が充填された少なくとも２本のカラム（７、８）の、１以上の入口端（１３）及び１以上の出口端（１４）に接続された１以上の保持タンク（４；４ａ、４ｂ、４ｃ）と、各カラムについて、１以上のポンプ（１０）及び１以上の出口検出器（１１）とを備えたクロマトグラフィーシステム（１）における、生体高分子のクロマトグラフ分離のための方法であって、
ａ）前記生体高分子を含む供給材料を供給して、第１の出口検出器により生体高分子濃度を監視しながら、第１のカラム（７）を通して前記供給材料を汲み上げるステップと、
ｂ）前記生体高分子濃度が第１の所定レベル（Ｌ１）に達したら、前記出口検出器から前記保持タンク（４；４ｂ）へ流れを向けるステップと、
ｃ）前記保持タンク（４；４ｂ）の内容物を、第２の出口検出器を有する第２のカラム（８）へ汲み上げて、さらに分離するステップとを含む方法。
【請求項７】
ステップｃ）の間に、前記生体高分子濃度が、第１のカラムに接続された前記出口検出器により測定される第２の所定レベル（Ｌ２）に達するまで、第１のカラム（７）を通る前記供給材料の流れが維持される、請求項６記載の方法。
【請求項８】
ｂｉ）洗浄バッファを供給して、第１の出口検出器により前記生体高分子濃度を監視しながら、第１のカラム（７）及び第１の出口検出器を通して前記保持タンク（４；４ｂ）へ前記洗浄バッファを汲み上げるステップと、
ｂｉｉ）前記生体高分子濃度が第３の所定レベル（Ｌ３）よりも低くなったら、第１の出口検出器から廃棄物受け（１９）へ流れを向けるステップと、
ｂｉｉｉ）溶出バッファを供給して、第１のカラムを通して溶出液タンク（６）へ前記溶出バッファを汲み上げるステップとを含む、請求項６又は請求項７記載の方法。
【請求項９】
ｄ）第２の出口検出器により、第２のカラム（８）からの前記生体高分子の濃度を監視するステップと、
ｅ）前記生体高分子濃度が第１の所定レベル（Ｌ１）に達したら、第２の出口検出器から前記保持タンク（４；４ｂ）又は第２の保持タンク（４ｃ）へ流れを向けるステップと、
ｆ）前記保持タンク（４；４ｂ）又は第２の保持タンク（４ｃ）の内容物を、第３の出口検出器を有する第３のカラム（９）又は第１のカラム（７）へ汲み上げて、さらに分離するステップとをさらに含む、請求項６乃至請求項８のいずれか１項記載の方法。
【請求項１０】
ｅｉ）第２の出口検出器により前記生体高分子の濃度を監視しながら、第２のカラム（８）及び第２の出口検出器を通して前記保持タンク（４；４ｂ）又は第２の保持タンク（４ｃ）へ前記洗浄バッファを汲み上げるステップと、
ｅｉｉ）前記生体高分子濃度が第３の所定レベル（Ｌ３）よりも低くなったら、第２の出口検出器から廃棄物受け（１９）へ流れを向けるステップと、
ｅｉｉｉ）第２のカラム（８）を通して溶出液タンクへ前記溶出バッファを汲み上げるステップとをさらに含む、請求項９記載の方法。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
転がり軸受用のケージセグメント（２）であって、転動体のための少なくとも１つのポケット（４）を有しており、第１のセグメント部分（６ａ）と第２のセグメント部分（６ｂ）とを備え、該第２のセグメント部分（６ｂ）は、軸方向（８）で前記第１のセグメント部分（６ａ）に隣接し、該第１のセグメント部分（６ａ）に形状結合式、摩擦力結合式又は素材結合式に固定装置（１０ａ〜１０ｄ，１２ａ〜１２ｄ；１６；３６）により結合されており、該固定装置（１０ａ〜１０ｄ，１２ａ〜１２ｄ；１６；３６）は、軸方向（８）に対して垂直な接線方向（１４）に関して前記ポケット（４）の両側に配置されており、該固定装置（１０ａ〜１０ｄ，１２ａ〜１２ｄ；１６；３６）はさらに、前記ケージセグメント（２）を、該ケージセグメント（２）に接線方向（１４）で隣接する別のケージセグメントに相対回動不能に結合するために形成されていることを特徴とする、転がり軸受用のケージセグメント。
【請求項２】
前記固定装置（１０ａ〜１０ｄ，１２ａ〜１２ｄ；１６；３６）は、軸方向（８）で前記ケージセグメント（２）を貫くように延在する孔（１０ａ〜１０ｄ；１６；３６）を有する、請求項１記載のケージセグメント。
【請求項３】
前記ポケット（４）は、一軸方向平面内で完全に前記ケージセグメント（２）の材料により囲繞されている、請求項１又は２記載のケージセグメント。
【請求項４】
前記ケージセグメント（２）は、プラスチックからなる、請求項１から３までのいずれか１項記載のケージセグメント。
【請求項５】
前記第１のセグメント部分（６ａ）は、接線方向（１４）の正の方向で前記ポケット（４）から間隔を置いて、付加的に第２のポケットのための凹部（１３）を有し、前記第２のセグメント部分（６ｂ）は、前記接線方向（１４）の正の方向とは逆の方向で前記ポケット（４）から間隔を置いて、付加的に第３のポケットのための凹部（１３）を有する、請求項１から４までのいずれか１項記載のケージセグメント。
【請求項６】
転がり軸受であって、
少なくとも１つの転動体と、
請求項１から５までのいずれか１項記載のケージセグメント（２）と、
を備え、前記転動体は、前記ケージセグメント（２）のポケット（４）内に配置されていることを特徴とする、転がり軸受。
【請求項７】
前記転動体は玉である、請求項６記載の転がり軸受。
【請求項８】
転がり軸受を組み立てる方法であって、
ケージセグメント（２）であって、転動体のための少なくとも１つのポケット（４）を有しており、第１のセグメント部分（６ａ）と第２のセグメント部分（６ｂ）とを備え、該第２のセグメント部分（６ｂ）は、軸方向（８）で前記第１のセグメント部分（６ａ）に隣接し、該第１のセグメント部分（６ａ）に固定装置（１０ａ〜１０ｄ，１２ａ〜１２ｄ；１６；３６）により形状結合式、摩擦力結合式又は素材結合式に結合可能となっており、該固定装置（１０ａ〜１０ｄ，１２ａ〜１２ｄ；１６；３６）は、軸方向（８）に対して垂直な接線方向（１４）に関して前記ポケット（４）の両側に配置されており、該固定装置（１０ａ〜１０ｄ，１２ａ〜１２ｄ；１６；３６）はさらに、前記ケージセグメント（２）を、該ケージセグメント（２）に接線方向（１４）で隣接する別のケージセグメントに相対回動不能に結合するために形成されているケージセグメント（２）を準備し、
転動体を転がり軸受の軸受外レース（３２）と軸受内レース（３０）との間に配置し、
前記第１のセグメント部分（６ａ）を前記転がり軸受の軸受外レース（３２）と軸受内レース（３０）との間に、前記転動体が、前記第１のセグメント部分（６ａ）に設けられた、前記ポケット（４）に対応する凹部（１３）内にあるように配置し、
前記第２のセグメント部分（６ｂ）を、前記転動体の、前記第１のセグメント部分（６ａ）に軸方向（８）で対向する側に配置し、かつ
前記固定装置（１０ａ〜１０ｄ，１２ａ〜１２ｄ；１６；３６）により前記ケージセグメント（２）の第１のセグメント部分（６ａ）及び第２のセグメント部分（６ｂ）を、該ケージセグメント（２）に接線方向（１４）で隣接する別のケージセグメントに相対回動不能に形状結合式、摩擦力結合式又は素材結合式に結合する、
ことを特徴とする、転がり軸受を組み立てる方法。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
現場装備品に動力装置を接続する動力切断カップリングであって、
（ｉ）カップリング内の弾性の動力伝達部品と、
（ｉｉ）動力装置へ装備品を機械的にラッチし、ラッチの開放が必要なときに操作可能な手動操作可能な開放手段を有するラッチングデバイスと、
（ｉｉｉ）駆動される装備品が他方の噛み合いクラッチハーフを有する状態で一方の噛み合いクラッチハーフを有する動力装置の動力出力シャフトと、
（ｉｖ）現場装備品への動力装置の整列配置であって、動力装置の出力シャフトアセンブリに同軸状に取り付けられる第１環形リングと、駆動される装備品の入力シャフトアセンブリに同軸状に取り付けられる第２環形リングとを含み、２つのリングは異なる直径であり、動力装置の動力出力シャフトと装備品の動力入力シャフトとの正確な同軸のアラインメントを提供するため、一方の環形リングが他方の環形リング内に精密公差で同軸状に係合されるのに適し、小径の環形リングの外周部分が大径の環形リングの少なくとも内周部分のパーツに係合する、整列配置と、
を備えた動力切断カップリング。
【請求項２】
動力装置と現場装備品との間の接続部を形成する噛み合いクラッチ・カップリングであって、
動力装置は、一方の噛み合いクラッチハーフを支持する動力出力シャフトを有し、駆動される装備品によって他方の噛み合いクラッチハーフが支持され、ここで、一方の噛み合いクラッチハーフはばね付勢されており、接続のため装備品が動力装置へ提供された際には、噛み合いクラッチの歯は互いに噛み合うよりもむしろ噛み合わず、ばね付勢され浮遊の噛み合いクラッチハーフは、接続の完成を可能にするために、初めにばね付勢に逆らって同軸に後退可能であり、次に一方の噛み合いクラッチハーフの十分な回転の際には、噛み合いクラッチの歯の噛み合いを可能にするために、ばね付勢された噛み合いクラッチハーフは、ばね付勢の下で噛み合い位置へ自動的に前進する、
噛み合いクラッチ・カップリング。
【請求項３】
それぞれの噛み合いクラッチハーフは、ハブによって提供され、一方側のハブに噛み合いクラッチ歯を、他方側のハブに伝達歯を有する、請求項１又は２に記載のカップリング。
【請求項４】
請求項２に記載の構成に追加して、浮遊の噛み合いクラッチハーフは、動力装置の駆動ハブである、請求項３に記載のカップリング。
【請求項５】
動力装置の出力シャフトは、１２０度の間隔で３つの枝角を有する駆動ヘッドにて終端する、請求項１から４のいずれかに記載のカップリング。
【請求項６】
上記枝角は、ラジアル面を有する弓形外形である、請求項５に記載のカップリング。
【請求項７】
弾性部品は、駆動ヘッドと動力装置の噛み合いクラッチハーフとの間に位置する、請求項１、３、５、６のいずれかに記載の請求項に記載のカップリング。
【請求項８】
弾性部品は、ゴム製で、圧縮と緩和との繰り返しに及び温度変化に非常に不活性に順応可能な品位及び配合組成のものである、請求項１、３、５、６、７のいずれかに記載のカップリング。
【請求項９】
弾性部品は、６０度の間隔で６つの歯を備え、各歯の一方側は、駆動ヘッドの枝角の一つの駆動面に位置するのに適している、請求項１、３、５から８のいずれかに記載のカップリング。
【請求項１０】
少なくとも一方の噛み合いクラッチハーフの歯は、他方の噛み合いクラッチハーフの歯との互いの噛み合いを援助するために非対称的にテーパーを付している、請求項１から９のいずれかに記載のカップリング。
【請求項１１】
出力シャフトに対して同軸に位置するコイル圧縮ばねによってばね付勢が提供され、コイルばねの一端は駆動ヘッドに係合し、他端は駆動ヘッドの噛み合いクラッチハーフに係合する、請求項２、３から１０のいずれかに記載のカップリング。
【請求項１２】
ラッチングデバイスは、装備品が動力装置に連結されるとき、自動的にラッチングを達成する、請求項１、３、５から１０のいずれかに記載のカップリング。
【請求項１３】
ラッチングデバイスは、装備品の取付板に形成された複数の対応したピンあるいは穴との係合を行うため、係合及び正確な整列の両方を容易に保証するため、穴あるいはピン間の導入面とともに装着板に設けられた装着穴あるいは装着ピンのアレイを備える、請求項１、３、５から１０、１２のいずれかに記載のカップリング。
【請求項１４】
ラッチング手段は、３つの装着穴及び３つのピンを備える、請求項１３に記載のカップリング。
【請求項１５】
それぞれの上記ピンは、案内部の導入ノーズを有する拡大ヘッドと、ヘッドの後ろのネック部分とを備え、各ピンのネック部分は、動力装置に装着されたラッチングプレートによって支持される、ばね付勢され半径方向に移動可能なレバーによって係合される、請求項１４に記載のカップリング。
【請求項１６】
動力装置はフレームに収容され、上記フレームは、押し動かされ、可搬性を容易にするため少なくとも一つのハンドルを設け、上記フレームは、メインフレームと、メインフレームに蝶番で動き折り畳まれ保管／輸送位置から展開位置へ移動可能なサブフレームとを備える、請求項１から１５のいずれかに記載のカップリング。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
ロータ（１７５）を有するターボ機械のためのブラシシール組立体（１００）であって、
固定シール部品（１０５）と、
前記固定シール部品（１０５）の凹部（１０６）に延びるフック（１１１）を介して前記固定シール部品（１０５）に移動可能に結合したフローティングシール部品（１１０）であって、円筒形フロントプレート（１１２）、円筒形バックプレート（１１３）、及び前記円筒形フロントプレート（１１２）と円筒形バックプレート（１１３）との間に保持される複数のブリストル（１２０）を含むフローティングシール部品（１１０）と
を備えており、前記複数のブリストル（１２０）が、前記ターボ機械に設置されたときに前記ロータに対して軸方向に延びる、ブラシシール組立体。
【請求項２】
前記複数のブリストル（１２０）を支持するため、前記円筒形フロントプレート（１１２）と円筒形バックプレート（１１３）との間に形成される凹部（１１４）に固定された複数のサイドレール（１２５，１３０）であって、前記複数のブリストル（１２０）と前記円筒形フロントプレート（１１２）との間及び前記複数のブリストル（１２０）と前記円筒形バックプレート（１１３）との間に各々スペースを画成する複数のサイドレール（１２５，１３０）を更に備える、請求項３記載のブラシシール組立体（１００）。
【請求項３】
前記固定シール部品（１０５）と前記フローティングシール部品（１１０）との間に配置された２次シール（１５０）を更に備える、請求項１又は請求項２記載のブラシシール組立体（１００）。
【請求項４】
前記２次シール（１５０）がピストンリングを含む、請求項３記載のブラシシール組立体（１００）。
【請求項５】
前記２次シール（１５０）が、第２の複数のブリストル（１５３）を有するブラシシールを含み、前記２次シール（１５０）の第２の複数のブリストル（１５３）が、前記ターボ機械に設置されたときに前記ロータ（１７５）に対して半径方向に延びる、請求項３記載のブラシシール組立体（１００）。
【請求項６】
前記フローティングシール部品（１１０）の複数のブリストル（１２０）が接線方向に角度が付けられている、請求項１乃至請求項５のいずれか１項記載のブラシシール組立体（１００）。
【請求項７】
出力タービン（１７０）であって、
第１のタービンホイール（１８５）と、
第２のタービンホイール（１９０）と、
前記第１のタービンホイール（１８５）と第２のタービンホイール（１９０）の間に配置されてそれらと結合したロータ（１７５）と、
前記ロータ（１７５）に隣接するステータ（１８０）と、
請求項１乃至請求項５のいずれか１項記載のブラシシール組立体（１００）と
を備える、出力タービン（１７０）。
【請求項８】
前記固定シール部品（１０５）の凹部（１０６）と前記フック（１１１）がフローティングダブテール構成である、請求項７記載の出力タービン（１７０）。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
酸素に応答して第2の酸化状態へと酸化する能力を有する、第1の酸化状態にある遷移金属イオンを有する固体ポリオキソヒドロキシ金属イオン材料を含む酸素センサであって、固体のポリオキソヒドロキシ金属イオン材料が、オキソ基及び/又は水酸基が1種以上の配位子によって非化学量論的に置換された高分子構造を有し、それによって、前記材料の酸素に対する曝露が固体ポリオキソヒドロキシ材料中の金属イオンの酸化を引き起こして、前記材料中で検知可能な変化を生じることを特徴とする、酸素センサ。
【請求項２】
固体のポリオキソヒドロキシ金属イオン材料が、ナノ粒子又はナノ構造形態で存在する、請求項1に記載の酸素センサ。
【請求項３】
酸素に応答して第2の酸化状態へと酸化する能力を有する、第1の酸化状態にある遷移金属イオンを有する固体オキソヒドロキシ金属イオン材料を含む酸素センサであって、固体オキソヒドロキシ金属イオン材料がナノ粒子又はナノ構造形態で存在し、それによって、前記材料の酸素に対する曝露が固体オキソヒドロキシ材料中の金属イオンの酸化を引き起こして、前記材料中で検知可能な変化を生じることを特徴とする、酸素センサ。
【請求項４】
金属イオン材料が、水和した酸素透過性のマトリクス中に存在し、それによって、マトリクスを透過した酸素が金属イオンの酸化を引き起こして、前記材料中で検知可能な変化を生じ、場合により
(i) マトリクスが動物性ゼラチン又は菜食主義者用ゼラチン等価物から形成されるなど、マトリクスがゼラチン、寒天、アガロース、セルロース系材料、又はそれらの組み合わせから形成される；及び/又は
(ii)マトリクスが少なくとも50% w/wの水を含む；及び/又は
(iii)マトリクスが固体金属イオン材料を5% w/wから25% w/w含む、
請求項1〜3のいずれか１項に記載の酸素センサ。
【請求項５】
金属イオン材料が、マトリクス形成材料と可溶な錯体を形成しない、請求項4に記載の酸素センサ。
【請求項６】
金属イオン材料が、オキソ基及び/又は水酸基が1種以上の配位子によって非化学量論的に置換された高分子構造を有する、請求項3〜5のいずれか１項に記載の酸素センサ。
【請求項７】
(a)オキソ基及び/又は水酸基が、リン酸アニオン、硫酸アニオン、ケイ酸アニオン、亜硝酸アニオン、硝酸アニオン、セレン酸アニオン及び/又は炭酸水素アニオンから選択される1種以上の配位子によって非化学量論的に置換された；又は
(b)オキソ基及び/又は水酸基が、リン酸アニオンにより非化学量論的に置換され、リン酸アニオンが、オキソヒドロキシド無機相上の主たる無機相になる；又は
(c)オキソ基及び/又は水酸基が、ケイ酸アニオンにより非化学量論的に置換され、ケイ酸アニオンが、オキソヒドロキシド無機相上の主たる無機相になる、
請求項1〜6のいずれか１項に記載の酸素センサ。
【請求項８】
(a)ガス置換包装における通常の使用下で、色相変化が不可逆である；及び/又は
(b)検知可能な変化が可視光の色相変化である；又は
(c)検知可能な変化がUV光下で検知可能である、
請求項1〜7のいずれか１項に記載の酸素センサ。
【請求項９】
(a)遷移金属イオンが、銅、鉄、クロム、バナジウム、マンガン、チタン、コバルト、モリブデン及び/又はタングステンである；
(b)遷移金属イオンが、銅及び/又は鉄である；又は
(c)遷移金属イオンが、(a)鉄であり、第１の酸化状態がFe(II)、第２の酸化状態がFe(III)、又は、(b)銅であり、第１の酸化状態がCu(I)、第２の酸化状態がCu(II)、又は、(c)コバルトであり、第１の酸化状態がCo(II)、第２の酸化状態がCo(III)である、
請求項1〜8のいずれか１項に記載の酸素センサ。
【請求項１０】
(a)酸素センサが、ガス置換条件下の袋内の1%を超える酸素濃度に反応して、検知可能な変化を生み出す；又は
(b)酸素センサが、環境適合性及び/又は生体適合性を有する；又は
(c)酸素センサが、食品、食品製品、栄養補助食品製品又は医薬製品に対する適合性のために無毒である；又は
(d)マトリクスが、半固体マトリクス、固体形式、又は水性懸濁液である；又は
(e)酸素センサが、粉体又は表面被覆状である、
請求項1〜9のいずれか１項に記載の酸素センサ。
【請求項１１】
配位子が、グルコン酸若しくは乳酸などのカルボン酸配位子、マルトール及びエチルマルトールなどの食品添加物配位子、トリプトファン、グルタミン若しくはヒスチジンなどのアミノ酸配位子、葉酸塩、アスコルビン酸塩若しくはニコチン酸塩などの栄養素系配位子、並びに/又はリン酸アニオン、硫酸アニオン、ケイ酸アニオン、セレン酸アニオン及び/若しくは炭酸水素アニオンなどの古典的アニオン配位子である、請求項1〜10のいずれか１項に記載の酸素センサ。
【請求項１２】
(a)カルボン酸配位子が、直鎖状ジカルボン酸配位子である；又は
(b)カルボン酸配位子が、式HOOC-R1-COOH、但し、R1は場合により置換されているアルキル、アルケニル又はアルキニル基、で表されるか、又はそれらのイオン化された形態である；又は
(c)カルボン酸配位子が、コハク酸、リンゴ酸、アジピン酸、グルタル酸、アスパラギン酸、酒石酸、ピメリン酸、クエン酸又はそれらのイオン化された形態である、
請求項1〜11のいずれか１項に記載の酸素センサ。
【請求項１３】
ガス置換条件下で包装袋中に物品を保管するための製品包装であって、該製品包装が、袋中に請求項1〜12のいずれか１項に記載の酸素センサを含み、それによって、包装袋中に漏入した酸素が金属イオンの酸化を引き起こし、材料中で検知可能な変化を生じる、前記製品包装。
【請求項１４】
ガス置換条件下で包装袋中に物品を保管するための製品包装中への酸素の漏入を検出するための、請求項1〜12のいずれか１項に記載の酸素センサの使用であって、包装袋中に漏入した酸素が金属イオンの酸化を引き起こし、材料中で検知可能な変化を生じる、前記使用。
【請求項１５】
ガス置換条件下で包装袋中に物品を保管するための製品包装中への酸素の漏入の検出方法であって、
(a)ガス置換条件下の包装袋中に、請求項1〜12のいずれか１項に記載の酸素センサを提供し、それによって、包装袋中に漏入した酸素が金属イオンの酸化を引き起こし、材料中で検知可能な変化を生じるステップと、
(b)場合により材料中での変化を検出して、包装袋中への酸素の漏入を表示するステップと、
を含む、前記方法。
【請求項１６】
(i)ガス置換条件が、大気の条件と比較して低い酸素レベルを有する；又はガス置換条件が、窒素及び/又は二酸化炭素を用いる；及び/又は
(ii)包装が、食品製品、医薬製品、補助栄養食品製品、文書、書籍若しくは原稿、又は電子機器若しくは部品から選択される製品のためのものである、
請求項15に記載の方法。
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
幅が０．１ｍｍ〜１００ｍｍ、長さが０．５ｍｍ〜５００ｍｍ、厚みが０．２ｍｍ〜５ｍｍであり、６００ｎｍ〜１６００ｎｍの波長の光を透過し、
（Ａ）（ｉ）オキシジフタル酸無水物とジアミノジフェニルスルホン、あるいは（ｉｉ）オキシジフタル酸無水物、３，３−ビスフェノールＡ二無水物、４，４−ビスフェノールＡ二無水物およびこれらの二無水物の組み合わせから構成される群から選択された二無水物と、ｍ−フェニレンジアミン、ｐ−フェニレンジアミン、ジアミノジフェニルスルホン、オキシジアニリンおよびこれらのジアミンの組み合わせから構成される群から選択されたジアミンと、を含む二無水物／ジアミン対と、
（Ｂ）クロロ置換フタル酸無水物と、ｍ−フェニレンジアミン、ｐ−フェニレンジアミン、ジアミノジフェニルスルホン、オキシジアニリンおよびこれらの組み合わせの群から選択されたジアミンと、ジヒドロキシフェノール塩と、あるいは
（Ｃ）（Ａ）と（Ｂ）の群から選択された組み合わせと、から誘導された構造単位を含むポリイミドを含有するポリマーを含むレンズであって、
前記レンズは透明であり、肉厚が少なくとも０．２ｍｍ〜５．０ｍｍの範囲で寸法的に安定であり、（ａ）温度６０℃／相対湿度６０％×１２０時間での事前調整、（ｂ）その後、最高温度２６０℃×３０秒間以内の鉛フリーはんだ試験後も透明性および寸法安定性を維持するレンズを備えたことを特徴とする物品。
【請求項２】
前記ポリイミドは第１ポリイミドポリマーであり、前記レンズは第２ポリイミドポリマーをさらに含み、これによってポリマー混合物を形成し、前記ポリマー混合物は、非薄層のポリマー混和性ポリマー混合物であることを特徴とする請求項１に記載の物品。
【請求項３】
前記第１ポリイミドポリマーは、オキシジフタル酸無水物とジアミノジフェニルスルホンとから誘導された構造単位を含み、前記第２ポリイミドポリマーは、（ｉ）３，３−ビスフェノール二無水物およびジアミノジフェニルスルホンと、（ｉｉ）４，４−ビスフェノールＡ二無水物とｍ−フェニレンジアミンと、（ｉｉｉ）４，４−ビスフェノールＡ二無水物とｐ−フェニレンジアミンと、（ｉｖ）４，４−ビスフェノール二無水物とジアミノジフェニルスルホンと、（ｖ）これらの二無水物／ジアミン対の組み合わせと、から構成される群から選択された二無水物／ジアミン対から誘導された構造単位を含むことを特徴とする請求項２に記載の物品。
【請求項４】
前記第１ポリイミドポリマーは、３，３−ビスフェノール二無水物とジアミノジフェニルスルホンとから誘導された構造単位を含み、前記第２ポリイミドポリマーは、（ｉ）４，４−ビスフェノールＡ二無水物とｍ−フェニレンジアミントと、（ｉｉ）４，４−ビスフェノールＡ二無水物とｐ−フェニレンジアミンと、（ｉｉｉ）４，４−ビスフェノール二無水物とジアミノジフェニルスルホンと、（ｉｖ）これらの二無水物／ジアミン対の組み合わせと、から構成される群から選択された二無水物／ジアミン対から誘導された構造単位を含むことを特徴とする請求項２に記載の物品。
【請求項５】
前記第１ポリイミドの量は５０〜９９質量％であり、
前記第２ポリイミドの量は１〜５０質量％であり、
前記レンズは、充填剤、補強材、添加剤およびこれらの組み合わせから構成される群から選択された、０〜７０質量％の成分をさらに含み、
前記第１ポリイミド、前記第２ポリイミドおよび前記成分の合計質量％は１００％であることを特徴とする請求項２に記載の物品。
【請求項６】
前記組成物はさらに、ポリイミド以外のポリマーを少なくとも１つ含むことを特徴とする請求項１乃至請求項５のいずれかに記載の物品。
【請求項７】
前記少なくとも１つのポリマーは、ポリエステル、ポリエステルカーボネート、ポリスルホン、ポリエーテルスルホン、ポリベンズイミダゾール、ポリケトンおよびこれらのポリマーの組み合わせから構成される群から選択されることを特徴とする請求項６に記載の物品。
【請求項８】
前記レンズの透明度は、厚みが２ｍｍで６０％以上であることを特徴とする請求項１乃至請求項７のいずれかに記載の物品。
【請求項９】
前記ポリマーの熱膨張率は、加熱速度５℃／分とした熱機械分析で測定して、温度範囲３０℃〜２００℃において１００ｐｐｍ／℃以下であることを特徴とする請求項１乃至請求項８のいずれかに記載の物品。
【請求項１０】
前記ポリマー混合物の連続使用温度は１５０℃以上であることを特徴とする請求項２乃至請求項５のいずれかに記載の物品。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
マップを生成する方法であって、
複数のメディア・アイテムの中から、前記マップで表されるエリア内で発生するイベントと関連するメディア・アイテムを選択するステップと、
前記メディア・アイテムから、前記イベントと関連するセグメントを選択するステップと、
前記選択されたセグメントに基づいて変形セグメントを作成するステップであって、前記選択されたセグメントは、前記マップにおける変形セグメントの配置を容易にするように変形される、ステップと
前記変形セグメントをメディア・アイコンとして前記マップへ合成するステップであって、前記メディア・アイコンは、前記メディア・アイテムの予め定められた嗜好との関連性に対応した尺度で現れ、前記尺度は、前記マップ内のあらゆる他の特徴の尺度よりも大きい、ステップと
を備える方法。
【請求項２】
請求項１に記載の方法であって、前記メディア・アイコンはイメージを含み、前記セグメントは前記イメージの一部を含む、方法。
【請求項３】
請求項１に記載の方法であって、前記メディア・アイコンは経路に沿った連続的な長いアイコンを含む方法。
【請求項４】
請求項１に記載の方法であって、前記セグメントを回転させることにより前記変形セグメントを作成するステップを備える方法。
【請求項５】
請求項１に記載の方法であって、前記セグメントを透視画法的に変形させることにより前記変形セグメントを作成するステップを備える方法。
【請求項６】
請求項１に記載の方法であって、前記セグメントにピースワイズ・アファイン変形を適用することにより前記変形セグメントを作成するステップを備える方法。
【請求項７】
請求項１に記載の方法であって、前記セグメントを見る角度に関して、前記イメージを記録した際の見る角度とは異なる見る角度を選択することにより、前記変形セグメントを作成するステップを備える方法。
【請求項８】
請求項１に記載の方法であって、前記変形セグメントを合成するステップは、
前記メディア・アイコンを生成するステップと、
前記マップへ前記メディア・アイコンを配するステップと
を含む、方法。
【請求項９】
マップを生成するシステムであって、
処理ユニットと、
前記処理ユニットへ指示を行うように構成されたコードを含むシステム・メモリと
を備え、
前記コードは、
複数のメディア・アイテムの中から、前記マップと関連し且つ前記マップで表されるエリア内で発生するイベントと関連する、前記イベントのライブ映像を含むメディア・アイテムを選択することと、
前記メディア・アイテムから、前記イベントと関連するセグメントを選択することと、
前記選択されたセグメントの尺度を、前記イベントの予め定められた嗜好との関連性に対応した尺度であって、前記マップ上のあらゆる他の特徴の尺度よりも大きい尺度に変更して、変形セグメントを作成することと、
前記変形セグメントを前記マップの道路へ整合させることを容易にするように前記変形セグメントを回転させることと、
前記回転させた変形セグメントを、前記イベントの位置の変化に基づいて前記マップの道路に沿って移動するメディア・アイコンとして前記マップの前記道路に沿って合成することと
の指示を前記処理ユニットに対して行うように構成される、
システム。
【請求項１０】
処理ユニットへ指示を行うように構成されたコードを含むコンピュータ読取可能記憶メモリデバイスであって、
前記コードは、
複数のメディア・アイテムの中から、３次元マップで表されるエリア内で発生するイベントに基づいてメディア・アイテムを選択することと、
前記メディア・アイテムから、前記イベントと関連するセグメントを選択することと、
前記選択されたセグメントの尺度を、前記イベントの予め定められた嗜好との関連性に対応した尺度であって、前記マップ上のあらゆる他の特徴の尺度よりも大きい尺度に変更して、変形セグメントを作成することと、
前記変形セグメントを前記マップの道路へ整合させることを容易にするように前記変形セグメントを回転させることと、
前記回転させた変形セグメントを、前記イベントの位置において前記マップへ合成することと、
の指示を前記処理ユニットに対して行うように構成され、
前記メディア・アイテムは、クラウドソーシングデバイスからアップロードされたライブ映像を含み、前記セグメントは、前記ライブ映像のうちの１つの一部分を含み、前記イベントの位置において前記３次元マップと統合されたメディア・アイコンが現れる、
コンピュータ読取可能記憶メモリデバイス。
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
溶媒と、
前記溶媒へ分散された非ガラスマトリックス粒子の組であって、Ａｌ2Ｏ3、ＭｇＯ、ＣｅＯ2、ＴｉＯ2、Ｙ2Ｏ3、ＺｎＯ、ＺｒＯ2、ＺｒＯ2~3、およびＹ2Ｏ3からなる群から選択されるセラミックを含む、非ガラスマトリックス粒子の組と、
ドーパントと、
を含む高忠実度ドーパントペースト。
【請求項２】
前記溶媒が、約２００℃より高い沸点を有する有機溶媒である、請求項１に記載の高忠実度ドーパントペースト。
【請求項３】
バインダーをさらに含む、請求項１に記載の高忠実度ドーパントペースト。
【請求項４】
前記バインダーが、ポリアクリレート、ポリアセタール、ポリビニル、セルロース、およびそれらのコポリマーの１つである、請求項３に記載の高忠実度ドーパントペースト。
【請求項５】
前記ドーパントが、ｎ型ドーパント前駆体およびｐ型ドーパント前駆体の１つである、請求項１に記載の高忠実度ドーパントペースト。
【手続補正２】
【補正対象書類名】明細書
【補正対象項目名】００８８
【補正方法】変更
【補正の内容】
【００８８】
例示的な実施形態および最良の形態を開示してきたが、以下の特許請求の範囲によって定義される本発明の主題および精神の範囲内で、開示した実施形態に修正および変更を施すことができる。
なお、本発明は、特許請求の範囲を含め、以下の発明を包含する。
１．溶媒と、
前記溶媒へ分散された非ガラスマトリックス粒子の組と、
ドーパントと、
を含む高忠実度ドーパントペースト。
２．前記溶媒が、約２００℃より高い沸点を有する有機溶媒である、１に記載の高忠実度ドーパントペースト。
３．前記溶媒が、直鎖もしくは環式の構造を有する溶媒、飽和もしくは不飽和の炭化水素の部分を有する溶媒、炭化水素をベースとする溶媒（すなわち、アルカン、アルケン、アルキン）、アルコール、チオール、エーテル、エステル、アルデヒド、ケトン、または、それらと組み合せされた溶媒の１つを含む、１に記載の高忠実度ドーパントペースト。
４．バインダーをさらに含む、１に記載の高忠実度ドーパントペースト。
５．前記バインダーが、前記有機溶媒に可溶のポリマーである、４に記載の高忠実度ドーパントペースト。
６．前記バインダーが、ポリアクリレート、ポリアセタール、ポリビニル、セルロース、およびそれらのコポリマーの１つである、４に記載の高忠実度ドーパントペースト。
７．前記非ガラスマトリックス粒子の組が、少なくともセラミックおよび元素化合物の１つを含む、１に記載の高忠実度ドーパントペースト。
８．前記セラミックが、Ａｌ2Ｏ3、ＭｇＯ、ＣｅＯ2、ＴｉＯ2、Ｙ2Ｏ3、ＺｎＯ、ＺｒＯ2、ＺｒＯ2~3、およびＹ2Ｏ3の１つである、７に記載の高忠実度ドーパントペースト。
９．前記元素化合物が、炭素およびシリコンの１つである、８に記載の高忠実度ドーパントペースト。
１０．前記ドーパントが、ｎ型ドーパント前駆体およびｐ型ドーパント前駆体の１つである、１に記載の高忠実度ドーパントペースト。
１１．前記ｎ型ドーパント前駆体が、ｎ型液体、ｎ型固体、およびｎ型ポリマーの１つである、１０に記載の高忠実度ドーパントペースト。
１２．ｎ型液体が、Ｈ3ＰＯ4およびＯ＝Ｐ（ＯＲ）X（ＯＨ）3-Xの１つである、１１に記載の高忠実度ドーパントペースト。
１３．ｎ型固体が、Ｐ2Ｏ5、Ｎａ3ＰＯ4、ＡｌＰＯ4、ＡｌＰおよびＮａ3Ｐの１つである、１１に記載の高忠実度ドーパントペースト。
１４．ｎ型ポリマーが、ポリホスホン酸エステルおよびポリホスファゼンの１つである、１１に記載の高忠実度ドーパントペースト。
１５．前記ｐ型ドーパント前駆体が、ｐ型液体、ｐ型固体、ｐ型二元化合物およびｐ型ポリマーの１つである、１０に記載の高忠実度ドーパントペースト。
１６．前記ｐ型液体が、Ｂ（ＯＲ）3である、１５に記載の高忠実度ドーパントペースト。
１７．前記ｐ型固体が、Ｂ（ＯＨ）3、ＮａＢＯ2、Ｎａ2Ｂ4Ｏ7、およびＢ2Ｏ3の１つである、１５に記載の高忠実度ドーパントペースト。
１８．前記ｐ型二元化合物が、ボロナイトライド（ｂｏｒｏｎｉｔｒｉｄｅ）、炭化ホウ素、ホウ素ケイ化物および元素ホウ素の１つである、１５に記載の高忠実度ドーパントペースト。
１９．前記ｐ型ポリマーが、ポリボラゾール（ｐｏｌｙｂｏｒａｚｏｌｅ）および有機ホウ素−ケイ素の１つである１５に記載の高忠実度ドーパントペースト。
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
基部と該基部から突出する複数のバールとを備える基板テーブルあって、前記バールの上面は多層コーティングを備え、前記多層コーティングはエネルギーが消散し得る層間の界面を含む、基板テーブル。
【請求項２】
前記多層コーティングは、少なくとも１つのＴｉ層と少なくとも１つのＴｉＮ層とを含み、任意に前記多層コーティングの上層はＴｉＮから形成される、請求項１に記載の基板テーブル。
【請求項３】
前記多層コーティングは、少なくとも１つのＣｒ層と少なくとも１つのＣｒＮ層とを含み、任意に前記多層コーティングの上層はＣｒＮから形成される、請求項１に記載の基板テーブル。
【請求項４】
前記多層コーティングは、１０以上の層を含む、請求項１乃至３のいずれか１項に記載の基板テーブル。
【請求項５】
前記多層コーティングは、１００ｎｍを超える厚さを有する、請求項１乃至４のいずれか１項に記載の基板テーブル。
【請求項６】
前記多層コーティングはパルスレーザ蒸着を用いて形成される、又は、前記多層コーティングは原子層堆積を用いて形成される、請求項１乃至５のいずれか１項に記載の基板テーブル。
【請求項７】
前記バール上に設けられることに加えて、前記多層コーティングは、前記バール間に位置する、前記基板テーブルの領域上に設けられる、請求項１乃至６のいずれか１項に記載の基板テーブル。
【請求項８】
前記バールは、前記多層コーティングによって形成される、請求項１乃至６のいずれか１項に記載の基板テーブル。
【請求項９】
ラフネスが、プラズマエッチングを用いて前記多層コーティングの上面に付与され、任意に前記プラズマエッチングはプラズマ利用化学エッチングである、請求項１乃至８のいずれか１項に記載の基板テーブル。
【請求項１０】
請求項１乃至９のいずれか１項に記載の基板テーブルを備えるリソグラフィ装置。
【請求項１１】
パターン形成された放射ビームを、請求項１乃至９のいずれか１項に記載の基板テーブル上に保持された基板上に投影することを含む、デバイス製造方法。
【請求項１２】
多層コーティングを基板テーブル上に形成する方法であって、
原子層堆積を用いて第１材料層を前記基板テーブル上に形成することと、次に、原子層堆積を用いて第２材料層を前記第１材料層の上に形成することと、次に、原子層堆積を用いて追加の材料層を前記基板テーブル上に形成することと、を含み、これにより、エネルギーが消散し得る層間の界面を備える多層コーティングを提供する、
方法。
【請求項１３】
プラズマエッチングを用いて前記多層コーティングの上面をエッチングして、該上面に実質的に均一なラフネスを付与する、請求項１２に記載の方法。
【請求項１４】
前記材料のうちの１つはＴｉであり、かつ他の材料はＴｉＮであり、または、前記材料のうちの１つはＣｒであり、かつ他の材料はＣｒＮである、請求項１２または１３に記載の方法。
【請求項１５】
バールを基板テーブル上に形成する方法であって、
原子層堆積中に材料を受けとる部分を形成することであって、該部分は原子層堆積中に材料を受け取らない領域によって囲まれることと、次に、原子層堆積を用いて多層コーティングを前記部分上に形成し、それによってバールを前記基板テーブル上に形成することと、を含み、前記多層コーティングはエネルギーが消散し得る層間の界面を含む、
方法。
【手続補正書】
【提出日】平成26年11月28日(2014.11.28)
【手続補正１】
【補正対象書類名】特許請求の範囲
【補正対象項目名】請求項８
【補正方法】変更
【補正の内容】
【請求項８】
前記ＤＳ−ＶＦＥＴはカーボンナノチューブ使用可能縦型電界効果トランジスタ（ＣＮ−ＶＦＥＴ）であり、該ＣＮ−ＶＦＥＴの前記ソース層はカーボンナノチューブの希薄ネットワークを含む、請求項７に記載のディスプレイパネル。
【手続補正書】
【提出日】平成27年1月14日(2015.1.14)
【手続補正１】
【補正対象書類名】明細書
【補正対象項目名】００４３
【補正方法】変更
【補正の内容】
【００４３】
本発明は上記の例示の実施例、実施形態及び／又は組成物に限定されない。実施例、実施形態及び／又は組成物は本発明の範囲を限定することを意図しない。そのため、明細書は広く解釈されるべきである。
（態様）
（態様１）
気体及び液体に対して不透過性であるイオン導電性かつ電子導電性外側ガラスシェルと、
前記外側シェルの内部にある活性材料内側コアと、
を含む、複合材料。
（態様２）
前記外側シェルはリチウム塩、ＳｉＯ２、Ａｌ２Ｏ３、Ｐ２Ｓ５及びＬｉ２Ｓからなる群から選択される少なくとも１種のリチウムイオン導電性化合物を含む、態様１に記載の複合材料。
（態様３）
前記外側シェルはＬｉ２Ｓ:Ｐ２Ｓ５を含む、態様２に記載の複合材料。
（態様４）
前記外側シェルはＬｉＰＯＮを含む、態様２に記載の複合材料。
（態様５）
前記外側シェルの外側に二次外側シェルをさらに含む、態様１に記載の複合材料。
（態様６）
前記二次外側シェルはＳｉＯ２、Ａｌ２Ｏ３、Ｐ２Ｓ５及びＬｉ２Ｓからなる群から選択される化合物を含む、態様５に記載の複合材料。
（態様７）
前記二次外側シェルはＬｉ２Ｓ:Ｐ２Ｓ５を含む、態様６に記載の複合材料。
（態様８）
前記二次外側シェルはＬｉＰＯＮを含む、態様６に記載の複合材料。
（態様９）
前記内側コアはリチウム、ナトリウム、マグネシウム及びカリウムからなる群から選択される元素を含む、態様１に記載の複合材料。
（態様１０）
正電極と、
電解質と、
複数の複合材粒子及び結合剤を有する負電極と、
を含むバッテリーであって、
前記複数の複合材粒子はイオン導電性かつ電子導電性外側シェル及び該外側シェルの内部にある活性材料内側コアを有する、バッテリー。
（態様１１）
前記外側シェルはリチウム塩、ＳｉＯ２、Ａｌ２Ｏ３、Ｐ２Ｓ５及びＬｉ２Ｓからなる群から選択される少なくとも１種のリチウムイオン導電性化合物を含む、態様１０に記載のバッテリー。
（態様１２）
前記外側シェルはＬｉ２Ｓ:Ｐ２Ｓ５を含む、態様１１に記載のバッテリー。
（態様１３）
前記外側シェルはＬｉＰＯＮを含む、態様１１に記載のバッテリー。
（態様１４）
前記外側シェルの外側に二次外側シェルをさらに含む、態様１０に記載のバッテリー。
（態様１５）
前記二次外側シェルはＳｉＯ２、Ａｌ２Ｏ３、Ｐ２Ｓ５及びＬｉ２Ｓからなる群から選択される化合物を含む、態様１４に記載のバッテリー。
（態様１６）
前記二次外側シェルはＬｉ２Ｓ:Ｐ２Ｓ５を含む、態様１５に記載のバッテリー。
（態様１７）
前記二次外側シェルはＬｉＰＯＮを含む、態様１５に記載のバッテリー。
（態様１８）
前記内側コアはリチウム、ナトリウム、マグネシウム及びカリウムからなる群から選択される元素を含む、態様１０に記載のバッテリー。
（態様１９）
前記複数の複合材粒子の間に電子が移動するように操作可能な導電剤を有する前記負電極をさらに含む、態様１０に記載のバッテリー。
【手続補正２】
【補正対象書類名】特許請求の範囲
【補正対象項目名】全文
【補正方法】変更
【補正の内容】
【特許請求の範囲】
【請求項１】
気体及び液体に対して不透過性であるイオン導電性かつ電子導電性外側ガラスシェルと、
前記外側シェルの内部にある第１の体積の活性コア材料と第２の体積のボイド空間と、
を含む、コアシェル複合材料。
【請求項２】
前記外側シェルはリチウム塩、ＳｉＯ２、Ａｌ２Ｏ３、Ｐ２Ｓ５及びＬｉ２Ｓからなる群から選択される少なくとも１種のリチウムイオン導電性化合物を含む、請求項１に記載の複合材料。
【請求項３】
前記外側シェルはＬｉ２Ｓ:Ｐ２Ｓ５を含む、請求項１〜２のいずれか一項に記載の複合材料。
【請求項４】
前記外側シェルはＬｉＰＯＮを含む、請求項１〜３のいずれか一項に記載の複合材料。
【請求項５】
前記外側シェルの外側に二次外側シェルをさらに含む、請求項１〜４のいずれか一項に記載の複合材料。
【請求項６】
前記二次外側シェルはＳｉＯ２、Ａｌ２Ｏ３、Ｐ２Ｓ５及びＬｉ２Ｓからなる群から選択される化合物を含む、請求項１〜５のいずれか一項に記載の複合材料。
【請求項７】
前記二次外側シェルはＬｉ２Ｓ:Ｐ２Ｓ５を含む、請求項１〜６のいずれか一項に記載の複合材料。
【請求項８】
前記二次外側シェルはＬｉＰＯＮを含む、請求項１〜６のいずれか一項に記載の複合材料。
【請求項９】
前記内側コアはリチウム、ナトリウム、マグネシウム及びカリウムからなる群から選択される元素を含む、請求項１〜８のいずれか一項に記載の複合材料。
【請求項１０】
正電極と、
電解質と、
複数のコアシェル複合材粒子及び結合剤を有する負電極と、
を含むバッテリーであって、
前記複数の複合材粒子はイオン導電性かつ電子導電性外側シェル及び該外側シェルの内部にある第１の体積の活性コア材料と第２の体積のボイド空間と、を含む、バッテリー。
【請求項１１】
前記外側シェルはリチウム塩、ＳｉＯ２、Ａｌ２Ｏ３、Ｐ２Ｓ５及びＬｉ２Ｓからなる群から選択される少なくとも１種のリチウムイオン導電性化合物を含む、請求項１０に記載のバッテリー。
【請求項１２】
前記外側シェルはＬｉ２Ｓ:Ｐ２Ｓ５を含む、請求項１０〜１１のいずれか一項に記載のバッテリー。
【請求項１３】
前記外側シェルはＬｉＰＯＮを含む、請求項１０〜１２のいずれか一項に記載のバッテリー。
【請求項１４】
前記外側シェルの外側に二次外側シェルをさらに含む、請求項１０〜１３のいずれか一項に記載のバッテリー。
【請求項１５】
前記二次外側シェルはＳｉＯ２、Ａｌ２Ｏ３、Ｐ２Ｓ５及びＬｉ２Ｓからなる群から選択される化合物を含む、請求項１０〜１４のいずれか一項に記載のバッテリー。
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
不織ウェブ中に配置されたナノ繊維を含んでなる第１の層と、熱可塑性粒子の第１セットを含んでなる第２の層とを含んでなるラミネートであって、前記第２の層が前記第１の層に接着し、そして前記第１の層の表面の少なくとも一部を被覆し、また前記不織ウェブが０．１ミクロン〜５ミクロンの平均流量細孔径を有し、そして前記粒子が平均流量細孔径未満の数平均粒径を有する、ラミネート。
【請求項２】
請求項１に記載のラミネートを含んでなる電気化学電池。
【請求項３】
請求項１に記載のラミネートを含んでなるリチウムイオン電池。
【請求項４】
ナノウェブを熱可塑性粒子のフロックでコーティングするステップを含んでなるラミネートの製造方法であって、前記フロックが前記ナノウェブ上で層を形成し、そして前記ナノウェブの平均流量細孔径以下の数平均粒径を有する粒子を含んでなる方法。
【請求項５】
請求項４の方法によって製造されるラミネート。
【手続補正２】
【補正対象書類名】明細書
【補正対象項目名】００９９
【補正方法】変更
【補正の内容】
【００９９】
図２および３ならびに表３の比較によって、ナノウェブのシャットダウン能力に関する本発明の肯定的な効果が示される。実施例３のナノウェブは、シャットダウンの間に抵抗の測定可能な増加を示したが、比較例のナノウェブは、より高い温度でも抵抗の増加を示さなかった。
次に、本発明の態様を示す。
１.  不織ウェブ中に配置されたナノ繊維を含んでなる第１の層と、熱可塑性粒子の第１セットを含んでなる第２の層とを含んでなるラミネートであって、前記第２の層が前記第１の層に接着し、そして前記第１の層の表面の少なくとも一部を被覆し、また前記不織ウェブが０．１ミクロン〜５ミクロンの平均流量細孔径を有し、そして前記粒子が平均流量細孔径未満の数平均粒径を有する、ラミネート。
２.  前記粒子が、７０％未満の多孔度を有する密着した層となるように接着されている、上記１に記載のラミネート。
３.  前記熱可塑性粒子がポリマー粒子である、上記１に記載のラミネート。
４.  数平均粒径が平均流量細孔径の８０％以下である、上記１に記載のラミネート。
５.  前記熱可塑性粒子が８０℃〜１８０℃の融点開始を有する、上記１に記載のラミネート。
６.  前記第１の層もしくは前記第２の層のいずれか、または両方と接着した第３の層をさらに含んでなり、前記第３の層が粒子の第２セットを含んでなる、上記１に記載のラミネート。
７.  前記粒子の第２セットの粒子が２００℃までの温度で溶融または流動しない、上記６に記載のラミネート。
８.  前記粒子の第２セットの粒子が平均流量細孔径に少なくとも等しい平均粒径を有し、８０℃〜１３０℃の融点開始を有する、上記６に記載のラミネート。
９.  前記粒子の第２セットの粒子が平均流量細孔径の少なくとも５倍の平均粒径を有する、上記８に記載のラミネート。
１０.  前記粒子の第１もしくは第２セットまたは両方の粒子が、熱処理または熱カレンダー仕上げからなる群から選択される方法によって前記不織ウェブ上へ固定されている、上記６に記載のラミネート。
１１.  前記粒子の第１および第２セットの粒子が、前記不織ウェブに塗布される前にブレンドされている、上記６に記載のラミネート。
１２.  前記粒子の第１もしくは第２セットまたは両方の粒子が官能化されている、上記６に記載のラミネート。
１３.  前記粒子の第１もしくは第２セットまたは両方の粒子が、コア−シェル、２成分または複合粒子を含んでなる、上記６に記載のラミネート。
１４.  前記粒子が、結合剤粒子、溶解オリゴマーもしくはポリマー、または接着剤スプレーもしくは膜によって固定されている、上記１に記載のラミネート。
１５.  複数の異なる不織ウェブを含んでなり、前記不織ウェブが粒子によって互いに分離されている、上記１に記載のラミネート。
１６.  イオン抵抗が、あらかじめ選択された閾値温度に達した時に初期抵抗の少なくとも２倍増加し、そして２００℃までの温度では収縮が１０％未満であるように構造的に安定している、上記１に記載のラミネート。
１７.  ２００℃までの温度で、収縮が１％未満であるように構造的に安定している、上記１６に記載のラミネート。
１８.  ２００ｍｇＫＯＨ／ｇ未満の酸価を有する粒子を含んでなる、上記１に記載のラミネート。
１９.  前記第２の層を形成するために使用される前記粒子が約５重量未満の界面活性剤を含有するコーティングとして塗布されている、上記１に記載のラミネート。
２０.  前記熱可塑性粒子の第１セットが、前記不織ウェブに塗布される前に凝集される、上記１に記載のラミネート。
２１.  上記１に記載のラミネートを含んでなる電気化学電池。
２２.  上記１に記載のラミネートを含んでなるリチウムイオン電池。
２３.  ナノウェブを熱可塑性粒子のフロックでコーティングするステップを含んでなるラミネートの製造方法であって、前記フロックが前記ナノウェブ上で層を形成し、そして前記ナノウェブの平均流量細孔径以下の数平均粒径を有する粒子を含んでなる方法。
２４.  上記２３の方法によって製造されるラミネート。